(57)【特許請求の範囲】
【請求項１】
撮像手段を備え、間欠的な撮像を実行するインターバル撮影モードを有する撮像装置であって、
被写体を測光する測光手段と、
前記測光手段の測光結果に基づいて露出制御を実行する露出制御手段と、
前記撮像手段を用いて取得した画像のライブビュー表示をするための表示部と、
を有し、
前記露出制御手段は、前記インターバル撮影モードにおいて前記表示部へのライブビュー表示がされていない場合に、前記間欠的な撮像の撮像間における所定のタイミング以後にライブビュー表示を実行する指示がされた場合は、前記表示部へのライブビュー表示の開始前に第１の露出制御を実行し、前記所定のタイミングよりも前にライブビュー表示を実行する指示がされた場合は、前記表示部へのライブビュー表示の開始に伴って前記第１の露出制御よりも変更度合が緩やかとなるように露出を制御する第２の露出制御を実行することを特徴とする撮像装置。
【請求項２】
前記表示部での画像の表示を制御する表示制御手段を有し、
前記表示制御手段は、前記インターバル撮影モードにおいて前記表示部へのライブビュー表示がされていない場合に、前記所定のタイミング以後にライブビュー表示を実行する指示がされた場合は、前記露出制御手段による前記第１の露出制御が完了した後に、前記表示部へのライブビュー表示を開始するように制御することを特徴とする請求項１に記載の撮像装置。
【請求項３】
前記表示制御手段は、前記インターバル撮影モードにおいて前記表示部へのライブビュー表示がされていない場合であって、前記間欠的な撮像の撮像間隔が所定の時間間隔以下である場合は、当該間欠的な撮像の撮像間でライブビュー表示を実行する指示がされたとしても、次の撮像が完了するまでライブビュー表示を開始しないことを特徴とする請求項２に記載の撮像装置。
【請求項４】
前記表示制御手段は、前記インターバル撮影モードにおいて前記表示部へのライブビュー表示がされていない場合であって、前記間欠的な撮像の撮像間隔が所定の時間間隔以下である場合は、当該間欠的な撮像の撮像間でライブビュー表示を実行する指示がされたことに応じて、次の撮像が完了した後に前記表示部でのライブビュー表示を実行するように制御し、
前記露出制御手段は、前記インターバル撮影モードにおいて前記表示部へのライブビュー表示がされていない場合であって、前記間欠的な撮像の撮像間隔が所定の時間間隔以下である場合は、当該間欠的な撮像の撮像間でライブビュー表示を実行する指示がされたことに応じて、前記表示部でのライブビュー表示の開始に伴って前記第２の露出制御を実行することを特徴とする請求項３に記載の撮像装置。
【請求項５】
前記所定のタイミングは、第１のタイミングであって、
前記表示制御手段は、前記インターバル撮影モードにおいて前記表示部へのライブビュー表示がされている場合に、前記間欠的な撮像における次の撮像までの時間が前記第１のタイミングよりも短い第２のタイミングにおいて前記表示部へのライブビュー表示を行わないように制御することを特徴とする請求項２乃至４の何れか一項に記載の撮像装置。
【請求項６】
前記第２のタイミングは、前記間欠的な撮像における各撮像を実行する際の準備動作を開始するタイミングであることを特徴とする請求項５に記載の撮像装置。
【請求項７】
前記所定のタイミングは、前記露出制御手段が当該所定のタイミングから前記第２の露出制御の実行することで、前記撮像装置において設定可能な最小値から最大値に対応した露出を変更できるタイミングであることを特徴とする請求項１乃至６の何れか一項に記載の撮像装置。
【請求項８】
撮像手段を備え、間欠的な撮像を実行するインターバル撮影モードを有する撮像装置の制御方法であって、
被写体を測光する測光工程と、
前記測光工程での測光結果に基づいて露出制御を実行する露出制御工程と、
を有し、
前記露出制御工程では、前記インターバル撮影モードにおいて表示部に画像のライブビュー表示がされていない場合であって、前記間欠的な撮像の撮像間における所定のタイミング以後にライブビュー表示を実行する指示がされた場合は、前記表示部へのライブビュー表示の開始前に第１の露出制御を実行し、前記所定のタイミングよりも前に前記表示部へのライブビュー表示を実行する指示がされた場合は、前記表示部へのライブビュー表示の開始に伴って前記第１の露出制御よりも変更度合が緩やかとなるように露出を制御する第２の露出制御を実行することを特徴とする撮像装置の制御方法。
【請求項９】
請求項８に記載の撮像装置の制御方法をコンピュータで実行させるためのコンピュータで読み取り可能なプログラム。
【発明の詳細な説明】
【技術分野】
【０００１】
本発明は、間欠的な撮像を実行する撮像装置と、その制御方法およびプログラムに関する。
【背景技術】
【０００２】
従来、所定の時間間隔で間欠的な撮像を実行して複数の画像を取得する撮影方法として、所謂インターバル撮影が知られている。特許文献１には、インターバル撮影における連続した撮影ごとに、被写体光を測光して得られた測光値に基づく自動露出制御を行う撮像装置について提案されている。
【０００３】
また、撮影時の構図を確認するための方法として、逐次撮像を実行して取得した画像を表示部に逐次表示する所謂ライブビュー表示（以下、ＬＶ表示と称する）を実行することが知られている。当該ＬＶ表示を実行している際の露出制御としては、ユーザーに与える違和感を低減するために、静止画像を取得するための撮像を実行する際の露出制御よりも露出の変更度合を緩やかにする技術が知られている。例えば、特許文献２には、ライブビュー表示中に、被写体の明るさとカメラの位置の変更速度や撮像方向の変更速度（撮像領域の変更速度）などの情報に基づいて露出制御を実行することで、露出が頻繁に変化することを抑制する技術について提案されている。
【先行技術文献】
【特許文献】
【０００４】
【特許文献１】特開２０１５−１３９０２９号公報
【特許文献２】特開２０１３−１２６０９１号公報
【発明の概要】
【発明が解決しようとする課題】
【０００５】
しかしながら、特許文献１には、インターバル撮影中にＬＶ表示を実行することについては言及されていない。したがって、特許文献１に記載の技術に特許文献２に記載の技術を適用しても、被写体の明るさと撮像領域の変更速度に基づいて露出制御を実行するだけで、間欠的な撮像を実行するタイミングとＬＶ表示の指示タイミングとを鑑みた露出制御はできない。
【０００６】
ここで、インターバル撮影中にＬＶ表示が指示されると、ＬＶ表示際の露出制御として、被写体の輝度変化に対して緩やかに露出を変更している途中で間欠的な撮像が実行されてしまう場合がある。この場合、被写体の明るさが変化したことに応じて、当該変化後の被写体の明るさに対応した露出の設定が完了していない状態で撮像が実行されるため、静止画像には適さない、すなわちインターバル撮影には適さない明るさの画像が取得されてしまう。
【０００７】
本発明の目的は、インターバル撮影中にライブビュー表示の実行が指示された場合に、インターバル撮影に適さない明るさの画像が取得されることを抑制することである。
【課題を解決するための手段】
【０００８】
上記目的を達成する本発明の撮像装置は、撮像手段を備え、間欠的な撮像を実行するインターバル撮影モードを有する撮像装置であって、被写体を測光する測光手段と、前記測光手段の測光結果に基づいて露出制御を実行する露出制御手段と、前記撮像手段を用いて取得した画像のライブビュー表示をするための表示部と、を有し、前記露出制御手段は、前記インターバル撮影モードにおいて前記表示部へのライブビュー表示がされていない場合に、前記間欠的な撮像の撮像間における所定のタイミング以後にライブビュー表示を実行する指示がされた場合は、前記表示部へのライブビュー表示の開始前に第１の露出制御を実行し、前記所定のタイミングよりも前にライブビュー表示を実行する指示がされた場合は、前記表示部へのライブビュー表示の開始に伴って前記第１の露出制御よりも変更度合が緩やかとなるように露出を制御する第２の露出制御を実行することを特徴とする。
【発明の効果】
【０００９】
本発明は、インターバル撮影中にライブビュー表示の実行が指示された場合であっても、不自然な明るさの画像が取得されることを抑制することができる。
【図面の簡単な説明】
【００１０】
【図１】本発明を実施した撮像装置の実施形態であるデジタルカメラ１の構成例を示すブロック図である。
【図２】本発明の実施形態に係るデジタルカメラ１の外観図（背面図）を例示的に説明する図である。
【図３】本発明の実施形態に係るデジタルカメラ１のインターバル撮影処理を説明したフローチャートである。
【図４】本発明の実施形態に係るデジタルカメラ１の露出制御方法を例示的に説明する図である。
【図５】本発明の実施形態に係るデジタルカメラ１の露出制御および表示制御に関するタイミングチャートを例示的に説明した図である。
【発明を実施するための形態】
【００１１】
（実施形態）
（デジタルカメラ１の基本構成）
以下に、本発明の好ましい実施の形態を、添付の図面に基づいて説明する。図１は、本発明を実施した撮像装置の実施形態であるデジタルカメラ（以下、単にカメラと称す）１の構成例を示すブロック図である。なお、図１に示す機能ブロックの１つ以上は、ＡＳＩＣやプログラマブルロジックアレイ（ＰＬＡ）などのハードウェアによって実現されてもよいし、ＣＰＵやＭＰＵ等のプログラマブルプロセッサがソフトウェアを実行することによって実現されてもよい。また、ソフトウェアとハードウェアの組み合わせによって実現されてもよい。したがって、以下の説明において、異なる機能ブロックが動作主体として記載されている場合であっても、同じハードウェアが主体として実現されうる。
【００１２】
図１に図示するように、本実施形態のカメラ１は、カメラ本体１００とレンズユニット２００を備えている。レンズユニット２００はカメラ本体１００に対して自由に着脱できる構成である。以下、図１を参照して、カメラ本体１００にレンズユニット２００が取り付けられた状態のカメラ１の構成について例示的に説明する。なお、カメラ１としては、カメラ本体１００とレンズユニット２００とが一体的に設けられている構成であってもよい。
【００１３】
カメラ制御部１０１は、カメラ本体１００の各部を統括的に制御するカメラ制御手段であって、不図示のカメラ用マイクロコンピュータ（カメラＣＰＵ）を備えている。また、カメラ制御部１０１は、時間の計測が可能な内蔵タイマー１０１ａを備えている。なお、内蔵タイマー１０１ａはリアルタイムクロックであって、後述のメモリ１０２に予め格納されたタイマー精度と事前に設定されたタイムゾーン等の情報に基づいて時間の計測を実行する。カメラ制御部１０１の制御内容については後述の種々の動作の説明にて言及する。メモリ１０２は、カメラ１の動作に関わるデータやカメラ１を用いて取得した種々のデータを記録可能な記録媒体である。本実施形態のメモリ１０２は、不揮発性メモリとしてＲＯＭ領域、および揮発性メモリとしてＲＡＭ領域をそれぞれ備えている。
【００１４】
レンズ制御部２０１は、レンズユニット２００の動作を統括的に制御するレンズ制御手段であって、不図示のレンズ用マイクロコンピュータ（レンズＣＰＵ）を備えている。カメラ本体１００にレンズユニット２００が取り付けられている状態で、レンズ制御部２０１はインターフェース（ＩＦ）を介してとカメラ制御部１０１と通信可能である。
【００１５】
撮像レンズ群２０２は、シフトレンズやズームレンズ、フォーカスレンズなどの複数のレンズを含むレンズ群であって、被写体の光学像を示す光束をカメラ本体１００側へと導くことができる。絞り２０３は、撮像レンズ群２０２の内部を透過した光速に関する光量を調節するための光量調節部材である。撮像レンズ群２０２および絞り２０３は、レンズ制御部２０１によって駆動が制御される。
【００１６】
撮像素子１０３は、ＣＭＯＳ等の電荷蓄積型の固体撮像素子を採用した撮像手段であって、レンズユニット２００を介して入射した光束を光電変換してアナログ画像データを出力する。シャッター１０４は、撮像素子１０３に入射する光束を遮蔽可能な遮蔽部材である。シャッター１０４は、入射した光束を遮蔽せずに撮像素子１０３へと導く退避状態と、入射した光束を遮蔽する遮蔽状態への遷移が可能である。
【００１７】
Ａ／Ｄ変換部１０５は、撮像素子１０３から出力されるアナログ画像データをデジタル画像データに変換する第１の変換手段である。画像処理部１０６は、デジタル画像データに対して所定の画像補間、縮小といったリサイズ処理や色変換処理、飽和画素や黒潰れ画素などの画素データ数の演算処理を行う画像処理手段である。Ｄ／Ａ変換部１０８は、デジタル画像データを表示用のアナログ画像データに変換する第２の変換手段である。メモリ制御部１０７は、Ａ／Ｄ変換部１０５、画像処理部１０６、Ｄ／Ａ変換部１０８などの各部への画像データの入出力を制御する記録制御手段である。なお、本実施形態における撮像手段としては、撮像素子１０３以外の構成として、Ａ／Ｄ変換部１０５、画像処理部１０６、Ｄ／Ａ変換部１０８などを含める構成であってもよい。
【００１８】
タイミングジェネレータ（以下、ＴＧと称す）１１０は、カメラ１の各動作に関わるタイミングをカメラ１の各部に送信するためのタイミング発生手段である。例えば、ＴＧ１１０は、撮像素子１０３における電荷蓄積のタイミングやフレームレートの変更、シャッター１０４の状態を変更するタイミングなどのタイミングを発生することができる。
【００１９】
表示部１０９は、ＴＦＴ型ＬＣＤ（薄膜トランジスタ駆動型液晶表示器）などで構成された表示手段であって、表示用のアナログ画像データを表示することができる。なお、表示部１０９は、撮像素子１０３を用いて取得した画像データを逐次表示する所謂ライブビュー表示（以下、ＬＶ表示と称す）をするための表示手段でもある。なお、表示部１０９には、取得した画像データ以外の種々の情報を表示することもできる。
【００２０】
レリーズボタン１１１は、カメラ１を用いた撮像準備動作と撮像動作の開始を指示する撮像指示手段である。ユーザーがレリーズボタン１１１をＳＷ１状態に変更（例えば、半押し）することで撮像準備動作の開始が指示され、被写体距離の算出（ＡＦ制御処理）、測光値の算出（測光演算処理）などが実行される。また、ユーザーがレリーズボタン１１１をＳＷ２状態に変更（例えば、全押し）することで撮像動作の開始が指示され、被写体を撮像して画像を取得するまでの一連の処理が開始される。なお、撮像モードが後述するインターバル撮影モードに設定されている場合は、レリーズボタン１１１がＳＷ２状態にされたことに応じて、予め設定されている総撮像回数に基づく間欠的な撮像が実行される。
【００２１】
操作部１１２は、カメラ制御部１０１に各種の動作指示を入力するための操作手段である。図２は、本発明の実施形態に係るカメラ１の外観図（背面図）を例示的に説明する図である。図２に図示の破線部分は、第１操作部１１２ａおよび第２操作部１１２ｂをそれぞれ示している。第１操作部１１２ａは、撮像に係る種々の動作を指示する方向指示ボタンや表示部１０９でのＬＶ表示の実行および終了を指示するＬＶボタンを備えている。第２の操作部１１２ｂは、電源スイッチや撮像モードを設定するモードダイヤルを備えている。なお、表示部１０９として静電容量式のタッチパネルなどを採用すれば、表示部１０９がレリーズボタン１１１および操作部１１２を兼用する構成であってもよい。この場合、表示部１０９に表示されたＵＩをユーザー操作することで、上述した各項目の設定が可能である。表示制御部１１３は、表示部１０９を用いた画像データの表示を統括的に制御する表示制御手段である。表示制御部１１３は、カメラ制御部１０１からの指示に応じて表示部１０９に表示する画像データの選択や、表示部１０９のオン・オフ（表示・非表示）を制御する。
【００２２】
上述した撮像モードとして、カメラ１は、通常静止画モード、通常動画モード、インターバル撮影モードを設定できる。通常静止画モードは記録用の１つの画像データ（静止画像）を取得する撮像モードである。通常動画モードは、撮像素子１０３を用いて１秒間に複数回の電荷蓄積（撮像）を実行して取得された複数の画像データを順につなぎ合せて動画像を取得する撮像モードである。インターバル撮影モードは、所定の時間間隔で間欠的な撮像を実行する所謂インターバル撮影を実行する撮像モードである。
【００２３】
なお、本実施形態のインターバル撮影モードでは、間欠的な撮像を実行して取得した複数の画像データを、取得した順（撮像した順）につなぎ合わせることで、時間的な変化を圧縮した動画（以下、タイムラプス動画と称す）を取得することができる。
【００２４】
このインターバル撮影モードは、少なくとも、前述の通常動画モードよりも１秒間に実行する撮像（電荷蓄積）の回数が少なく、連続する撮像間における撮像の時間間隔が長い撮像モードである。具体的に、本実施形態の通常動画モードは最大で１秒間に６０回の撮像を実行（６０ｆｐｓを設定）できるが、インターバル撮影モードにおける間欠的な撮像の撮像の時間間隔（以下、撮像間隔と称す）の最小値は１秒（１秒に１回）である。したがって、通常動画モードでは、動画像を取得するための撮像時間と取得した動画像の再生時間が略同一であるのに対して、インターバル撮影モードでは、１つのタイムラプス動画を取得するための総撮像時間に対して動画の再生時間が短い。
【００２５】
なお、上述したインターバル撮影モードにおける撮像間隔は、ユーザーが１秒単位で調整（設定）ができる構成であるが、これに限定されるものではない。例えば、撮像間隔を１秒以外の時間間隔ごとに調整できる構成であってもよいし、予め設定された撮像間隔の中からユーザーが任意の撮像間隔を選択するような構成であってもよい。
【００２６】
ＡＦ制御部１１４は、撮像素子１０３を用いて取得した画像データを用いて、撮像対象の被写体までの距離（被写体距離）を算出し、当該被写体距離に基づいて撮像レンズ群２０２の動作に係るＡＦ制御値を算出するフォーカス制御手段である。また、ＡＦ制御部１１４は、算出したＡＦ制御値に基づいて撮像レンズ群２０２を動作することで、撮像レンズ群２０２の合焦位置を撮像対象の被写体に合わせた状態にすることができる。なお、本実施形態では、取得した画像データのコントラスト情報に基づいてＡＦ制御値を算出する構成であるが、これに限定されるものではない。例えば、撮像素子１０３が位相差検出用の画素（撮像用の画素と兼用しても構わない）を有している構成であれば、当該位相差検出用の画素を用いた位相差情報に基づいてＡＦ制御値を算出してもよい。また、撮像素子１０３以外の、所謂ＡＦセンサなどを用いてＡＦ制御値を算出してもよい。
【００２７】
測光部１１５は、撮像対象の被写体を測光する測光手段であって、被写体を測光した測光結果として測光値を取得する。具体的に、測光部１１５は、撮像素子１０３を用いて取得した画像データを複数のブロックに分割し、各ブロックの平均輝度値を算出する。そして、測光部１１５は、各ブロックの平均輝度値を積分して代表輝度値を取得する。以降の説明では、この代表輝度値を測光値として露出制御などの種々の処理および制御に用いる。なお、本実施形態では撮像素子１０３を用いて測光値を取得する構成だが、撮像素子１０３以外の測光センサ（不図示）などを用いて測光値を取得することもできる。
【００２８】
露出制御部１１６は、画像データを取得する際の露出を制御する露出制御手段であって、測光部１１５が取得した測光値に応じた露出（適正露出）を算出する。露出制御部１１６が制御可能な露出制御値は、絞り２０３に関わる絞り値、電荷蓄積時間、アナログおよびデジタルゲイン量（撮影感度）である。メモリ１０２には、測光値に対応した適正露出に関する情報が予め格納されている。露出制御部１１６は、この情報に基づいて適正露出を設定することで、被写体の輝度変化に応じた露出の制御が可能である。露出制御部１１６による露出制御の方法としては、露出の変更度合（変更速度）を異ならせた２つの露出制御と、間欠的な撮像に合わせた露出制御（本撮像前露出制御）を実行できる。
【００２９】
この露出制御の方法について具体的に説明する。本実施形態において露出制御部１１６は、表示部１０９でのＬＶ表示の表示有無に応じて露出の変更度合を異ならせることができる。ＬＶ表示を実行していない場合は、レリーズタイムラグを短くするために、ユーザーの指示に応じて、被写体の明るさに対応した露出となるように素早く露出制御を実行することが望ましい。これに対して、ＬＶ表示を実行している間は、ユーザーに違和感を与えることを抑制するために、ＬＶ表示中の被写体の明るさが急激に変化しないように露出制御を実行することが望ましい。そこで、露出制御部１１６は、表示部１０９でのＬＶ表示を実行しない場合よりもＬＶ表示を実行する場合の方が、被写体の明るさの変化に対する変更度合が緩やかとなるように露出を制御することができる。ＬＶ表示を実行する場合の露出制御の詳細については、後述するインターバル撮影処理の説明において言及する。
【００３０】
なお、撮像素子１０３や測光センサ（不図示）を用いて取得した１つの画像データだけでは、測光部１１５が被写体の正確な測光値を算出できない場合がある。例えば、撮像時の露出に対して、被写体の明るさが極端に明るいまたは暗い場合、一度の撮像で取得した画像データの明るさに関するダイナミックレンジに被写体の明るさ（輝度）が収まらないと、被写体の正確な測光値を算出することができない。そこで、カメラ制御部１０１は、露出を異ならせた複数の測光用の画像データを取得し、測光部１１５は、露出が異なる画像データに基づいて被写体の正確な測光値を取得する動作（以下、ＡＥスキャン動作と称する）を実行する。なお、ＡＥスキャン動作としては、露出を異ならせた画像データを順に取得してもよいし、予め設定された露出差に基づいて露出を異ならせた複数の画像を一度に取得する構成であってもよい。
【００３１】
外部記録媒体３００は、メモリ１０２に記録された画像データの記録が可能なメモリーカードやハードディスクなどの記録媒体である。なお、外部記録媒体３００としては、カメラ本体１００に対して挿抜可能なメモリーカード等に限定されるものではなく、ＤＶＤ−ＲＷディスク等の光学ディスクやハードディスク等の磁気ディスクであってもよい。以上が、本実施形態のカメラの基本構成である。
【００３２】
（撮像動作）
以下、カメラ１を用いた被写体の撮像動作について説明する。なお、以降は、前述した各撮像モードで共通の動作に関して説明する。まず、カメラ制御部１０１は、レリーズボタン１１１が操作されたことを検知して、被写体の撮像準備動作を開始する。撮像準備動作としては、まずシャッター１０４が退避状態となり、撮像レンズ群２０２を介して入射した光束が撮像素子１０３上に結像する。次に、露出制御部１１６によりメモリ１０２に予め記録された情報に基づいて測光用の露出が設定され、カメラ制御部１０１は、この露出で撮像を実行する。Ａ／Ｄ変換部１０５は、撮像により撮像素子１０３から出力されたアナログ画像データに対して、サンプリング調整、ゲイン調整、Ａ／Ｄ変換を施し、デジタル画像データを出力する。画像処理部１０６は、Ａ／Ｄ変換部１０５から出力されたデジタル画像データに対して種々の画像処理を施す。
【００３３】
次に、測光部１１５は、取得したデジタル画像データに基づいて被写体を測光して測光値を取得する。そして、露出制御部１１６は、取得した測光値に基づいて露出制御を実行する。この際、カメラ制御部１０１および露出制御部１１６は、必要に応じてＡＥスキャン動作を実行する。また、ＡＦ制御部１１４は、取得した画像データに基づいてＡＦ制御値を算出し、レンズ制御部２０１は算出したＡＦ制御値に基づいて撮像レンズ群２０２のレンズ位置を制御する（ＡＦ制御）。以上がカメラ１の撮像準備動作である。
【００３４】
カメラ１の撮像準備動作が完了すると、カメラ制御部１０１は、先に設定した露出（適正露出）と撮像レンズ群２０２のレンズ位置に基づいて撮像を実行し、アナログ画像データを取得する。その後、画像処理部１０６による画像処理までの動作は前述した通りなので説明は省略する。種々の画像処理が施された（記録用の）デジタル画像データは、メモリ制御部１０７によってメモリ１０２に記録される。表示制御部１１３は、Ｄ／Ａ変換部１０８により変換された表示用のアナログ画像データを表示部１０９に表示する。以上が、カメラ１の基本的な撮像動作である。なお、撮像モードが通常動画モードである場合、カメラ１は、上述した動作と略同一の動作を繰り返し実行することで動画像を取得する。また、撮像モードがインターバル撮影モードである場合、カメラ１は、間欠的な撮像の実行に合わせて上述した動作と略同一の動作を繰り返すことでタイムラプス動画を取得できる。なお、通常静止画モードおよび通常動画モードにおける露出制御の方法については、簡略化のために説明を省略する。
【００３５】
（インターバル撮影処理）
以下、撮像モードがインターバル撮影モードに設定されている場合における間欠的な撮像を実行する処理（以下、インターバル撮影処理と称す）について図３のフローチャートを参照して説明する。図３は、本発明の実施形態に係るカメラ１のインターバル撮影処理を説明したフローチャートである。なお、図３に図示するフローチャートでは、インターバル撮影における撮像間隔と総撮像回数（または総撮像時間）がユーザーによって予め設定されており、ユーザーの撮像指示に応じて最初の撮像が完了した状態を示している。インターバル撮影モードにおける最初の撮像は、前述した撮像動作と略同一なので説明を省略する。
【００３６】
インターバル撮影モードでの最初の撮像が完了したことに応じてインターバル撮影処理が開始されると、ステップＳ３０１で内蔵タイマー１０１ａは、インターバル撮影処理に係る時間の計測を開始する。内蔵タイマー１０１ａによる時間の計測は、以降で説明する各処理と並行して実行される。
【００３７】
次に、ステップＳ３０２で表示制御部１１３は、表示部１０９でのＬＶ表示の表示状態をオフに変更する。すなわち、ステップＳ３０２で表示制御部１１３は、表示部１０９でＬＶ表示を行わないように制御する。なお、ステップＳ３０２におけるＬＶ表示のオフとは、表示部１０９の表示を消灯するような構成であってもよいし、ＬＶ表示における逐次表示の更新を実行しないような構成であってもよい。
【００３８】
インターバル撮影モードでは、間欠的な撮像を実行して取得した複数の画像データを順につなぎ合わせることで被写体の時間的な変化を圧縮したタイムラプス動画を取得できる。したがって、同じ再生時間の動画を取得する場合であっても、インターバル撮影モードの方が通常動画モードよりも、１つの動画像（または動画用の画像データ）を取得するのに必要な撮像動作が長い。この場合、撮像動作の長さに応じてカメラ１の電力消費も増加するため、同一の再生時間の動画像を取得する場合は、インターバル撮影モードの方が通常動画モードよりもカメラ１の電力消費が増加してしまう。そこで、ステップＳ３０２の処理を実行して連続した撮像間における表示部１０９でのＬＶ表示をオフにすることで、カメラ１の電力消費を低減することができる。なお、表示部１０９でのＬＶ表示以外に、インターバル撮影処理に不要な動作を停止する構成であってもよい。例えば、カメラ１を構成する各部のうち、カメラ制御部１０１や内蔵タイマー１０１ａなど、図３に図示する各ステップの処理を実行するのに必要な部分への電力供給のみ継続し、他の部分への電力供給を停止する構成であってもよい。
【００３９】
次に、ステップＳ３０３でカメラ制御部１０１は、ユーザーによって表示部１０９でのＬＶ表示を実行する指示（以下、ＬＶ表示指示と称す）がされたか否かを判定する。ＬＶ表示指示がされていない（ステップＳ３０３でＹＥＳ）と判定された場合、ステップＳ３０４でカメラ制御部１０１は、内蔵タイマー１０１ａによる時間の計測が自動測光タイミングに到達したか否かを判定する。
【００４０】
当該自動測光タイミングは、インターバル撮影モードにおいて、カメラ１が間欠的な撮像の各撮像（本撮像）のための測光動作を自動的に実行する（以下、自動測光と称する）タイミングである。したがって、当該自動測光タイミングは、当該撮像準備動作を開始するタイミングであって、インターバル撮影モードにおける各撮像を実行する際の撮像準備動作および撮像動作に必要な時間を鑑みて設定される。この自動測光タイミングに関する情報は、メモリ１０２に予め格納されている。なお、本実施形態では、自動測光タイミングを本撮像が実行される０．５秒前のタイミングに設定しているが、これに限定されるものではない。自動測光タイミングとしては、撮像準備動作と撮像動作を完了できる時間であればどのようなタイミングを設定してもよい。
【００４１】
カメラ制御部１０１により、内蔵タイマー１０１ａによる時間の計測が自動測光タイミングに到達していないと（ステップＳ３０４でＮＯ）と判定された場合は、ステップＳ３０３の処理に戻る。また、カメラ制御部１０１により、内蔵タイマー１０１ａによる時間の計測が自動測光タイミングに到達していると（ステップＳ３０４でＹＥＳ）と判定された場合はステップＳ３０５に進む。ステップＳ３０５でカメラ制御部１０１は撮像素子１０３を用いて、測光用の画像データを取得する。そして、測光部１１５は、当該画像データに基づいて測光値を取得する。なお、ＡＥスキャン動作が必要な場合は、測光部１１５によって、適宜ＡＥスキャン動作が実行される。
【００４２】
次に、ステップＳ３０６で露出制御部１１６は、測光部１１５が取得した測光値に基づいて適正露出を算出する。そして露出制御部１１６は、当該適正露出に基づいて露出制御（本撮像前露出制御）を実行する。なお、表示部１０９でのＬＶ表示の見栄えを考慮する必要がないため、ステップＳ３０６の処理では、設定した露出（適正露出）に向けて露出の変更度合が急峻となるように露出制御を実行する。そして、ステップＳ３０７で露出制御部１１６は、本撮像前露出制御（適正露出への変更）が完了したか否かを判定する。ステップＳ３０５〜Ｓ３０７の処理は、適正露出への変更が完了するまで繰り返えされる。
【００４３】
次に、ステップＳ３１９でカメラ制御部１０１は、撮像素子１０３を用いて、先に設定した適正露出において撮像（本撮像）を実行する。当該撮像が、インターバル撮影モードにおける間欠的な撮像の各撮像に該当する。そして、カメラ制御部１０１は、当該撮像を実行することで、タイムラプス動画の生成に用いる記録用の画像データを取得する。
【００４４】
ステップＳ３１８の処理で取得した画像データは、前述した種々の変換および処理が施された後にメモリ１０２に記録される。この際、画像処理部１０６は、取得した画像データに対して、取得された順番に関する情報を関連付ける。カメラ制御部１０１は、当該取得された順番に関する情報に基づいて各画像データをつなぎ合わせることで、タイムラプス動画を生成する。
【００４５】
次に、ステップＳ３２０でカメラ制御部１０１は、内蔵タイマー１０１ａによる時間の計測をリセットする。次に、ステップＳ３２１でカメラ制御部１０１は、現在の撮像回数が事前に設定された総撮像回数に到達したか否かを判定する。カメラ制御部１０１により撮像回数が撮像総回数に到達していない（ステップＳ３２１でＮＯ）と判定された場合、カメラ制御部１０１は、内蔵タイマー１０１ａによる新たな時間計測を開始して、ステップＳ３０３の処理にもどる。カメラ制御部１０１により撮像回数が撮像総回数に到達している（ステップＳ３２１でＹＥＳ）と判定された場合、カメラ制御部１０１は、現在のインターバル撮影処理を終了する。
【００４６】
次に、連続した撮像間にユーザーによりＬＶ表示指示がされた（ステップＳ３０３でＹＥＳ）と判定された場合について説明する。撮像装置を用いた撮像時は、構図を確認するために、表示部でのＬＶ表示の実行がユーザーによって指示されることが考えられる。特に、撮像の開始から終了までに比較的長い時間がかかるインターバル撮影モードでは、周囲環境の変化や被写体の移動などの影響に応じてユーザーが意図しない画像データが取得されるのを防ぐために、ＬＶ表示による構図確認の重要度は高い。
【００４７】
しかしながら、インターバル撮影モードにおいてＬＶ表示の実行が指示されると、間欠的な撮像時に、当該間欠的な撮像には適さない露出で撮像が実行されてしまう場合がある。この場合について具体的に説明する。例えば、インターバル撮影モードにおけるＬＶ非表示中にＬＶ表示指示がされた場合、ＬＶ表示を実行する際の露出制御が完了する前に間欠的な撮像が実行されると、間欠的な撮像（インターバル撮影）には適さない明るさの画像が取得されてしまう。すなわち、ＬＶ表示を実行中は、変更度合が緩やかとなるように露出を制御しているため、当該露出制御中にインターバル撮影における撮像のタイミングが重なると、適正露出を設定出来ていない状態で記録用の撮像が実行されてしまう。特に、インターバル撮影モードでは、連続する撮像間でＬＶ表示がオフされているので、ＬＶ表示を再開してから適正露出を設定するまでに比較的長い時間がかかるため、上述した問題が生じる確率が高くなる。
【００４８】
そこで、本実施形態のカメラ１は、インターバル撮影モードにおいてＬＶ表示が実行されていない場合に、間欠的な撮像の撮像間における所定のタイミングよりも前に表示指示がされたか否かに応じて、露出制御の方法を切り替えることで上述の問題に対応する。以下、この詳細について説明する。
【００４９】
図３に戻り、ステップＳ３０８でカメラ制御部１０１は、ユーザーの操作に応じて、予め設定された非表示タイミングよりも前にＬＶ表示指示が発生したか否かを判定する。カメラ制御部１０１により、非表示タイミングよりも前にＬＶ表示指示がされた（ステップＳ３０８でＹＥＳ）と判定された場合はステップＳ３０９の処理に進む。また、カメラ制御部１０１により、非表示タイミング以後にＬＶ表示指示がされた（ステップＳ３０８でＮＯ）と判定された場合はステップＳ３１６の処理に進む。
【００５０】
このステップＳ３０８の処理は、ユーザーによる構図確認が十分に行えるか否かを判定するための処理である。前述したように、インターバル撮影モードでは、自動測光タイミングにおいて撮像準備動作が開始される。したがって、例えば、ユーザーによるＬＶ表示指示から自動測光タイミングまでの時間が短いと、構図確認をするのに十分な時間において、表示部１０９でのＬＶ表示を実行することが出来ない。
【００５１】
そこで、本実施形態において表示制御部１１３は、予め設定された非表示タイミング以後にユーザーによるＬＶ表示指示がされた場合に、表示部１０９でのＬＶ表示を実行しない構成である。この構成により、十分な構図確認が出来ないようなタイミングでＬＶ表示が実行されることを防止するとともに、カメラ１における無駄な電力が消費されることを抑制できる。
【００５２】
なお、本実施形態では、上述した非表示タイミングとして、間欠的な撮像における各撮像から１秒前のタイミングを設定するが、これに限定されるものではない。例えば、ユーザーによるＬＶ表示指示を優先して、非表示タイミングと自動測光タイミングとを同一とするような構成であってもよい。この構成であれば、少なくとも、撮像準備動作を実行するタイミングでＬＶ表示が実行されることを防止できるため、ＬＶ表示を実行するというユーザーの意図を優先しつつ、インターバル撮影に適さない明るさの画像が取得されることを防止できる。また、ステップＳ３０８において非表示タイミング以後にＬＶ表示指示がされた場合は、インターバル撮影における次の撮像が実行された後にＬＶ表示を実行する構成であってもよい。この構成であれば、インターバル撮影に適さない明るさの画像が取得されることを防止しつつ、ユーザーによるＬＶ表示指示に応じて、構図確認に十分な時間をかけてＬＶ表示を実行することができる。
【００５３】
次に、ステップＳ３０９でカメラ制御部１０１は、所定のタイミングよりも前にユーザーによるＬＶ表示指示がされたか否かを判定する。カメラ制御部１０１により、所定のタイミングよりも前にＬＶ表示指示がされた（ステップＳ３０９でＹＥＳ）と判定された場合はステップＳ３１１の処理に進む。また、カメラ制御部１０１により、所定のタイミング以後にＬＶ表示指示がされた（ステップＳ３０９でＮＯ）と判定された場合はステップＳ３１０の処理に進む。
【００５４】
このステップＳ３０９の処理は、ユーザーによってＬＶ表示指示がされたタイミングから、ＬＶ表示を実行しながら変更度合が緩やかとなるような露出制御を実行して被写体の明るさに対応した露出を設定できるか否かを判定するための処理である。換言すると、ステップＳ３０９の処理は、ＬＶ表示に伴って露出の変更度合が緩やかとなる露出制御を実行しても、間欠的な撮像における次の撮像（自動測光タイミング）までに当該露出制御を完了できるか否かを判定するための処理である。したがって、所定のタイミングとしては、自動測光タイミングまでの間に表示部１０９でのＬＶ表示を実行しつつカメラ１において設定可能な最小値から最大値に対応した露出を変更できるタイミングを設定する。なお、本実施形態では所定のタイミングを、インターバル撮影における各撮像の２秒前のタイミングとするが、これに限定されるものではない。例えば、露出制御部１１６は、カメラ１において設定可能な露出や、ＬＶ表示の見栄えを考慮した露出の変更度合（または、露出の変更速度）などに応じて、所定のタイミングを制御してもよい。なお、本実施形態では説明のために、前述した所定のタイミングを第１のタイミング、自動測光タイミングを第２のタイミングと称し、第２のタイミングは、間欠的な撮像における次の撮像までの時間が第１のタイミングよりも短いものとする。以上をまとめると、連続した撮像間での各タイミングの関係は、次の撮像までの時間間隔が短い順に、自動測光タイミング（第２のタイミング）≦非表示タイミング＜所定のタイミング（第１のタイミング）となる。
【００５５】
次に、ステップＳ３１０で測光部１１５は被写体を測光して測光値を算出する。そして、露出制御部１１６は、当該測光値に基づいて第１の露出制御を実行する。この第１の露出制御は、測光値に対して変更度合が急峻となるような露出制御であって、ＬＶ表示の見栄えを考慮した露出制御ではない。次に、ステップＳ３１１で表示制御部１１３は、露出制御部１１６による第１の露出制御が完了した後に、表示部１０９でＬＶ表示を開始するように制御する。そして、ステップＳ３１２で露出制御部１１６は、表示部１０９でのＬＶ表示の開始に伴い、第１の露出制御よりも変更度合が緩やかとなるように露出を制御する第２の露出制御を実行することで、被写体の明るさに応じた露出を維持する。
【００５６】
以上説明したように、所定のタイミング以後にＬＶ表示指示がされた場合、前述したようなＬＶ表示の見栄えに考慮した露出制御を実行しても、間欠的な撮像における次の撮像までに当該露出制御を完了することが出来ない。そこで、本実施形態のカメラ１は、所定のタイミング以後にＬＶ表示指示がされた場合に、測光値に向けた露出の変更度合が急峻となる第１の露出制御を実行し、当該第１の露出制御が完了した後に表示部１０９でのＬＶ表示を開始する。そして、ＬＶ表示の開始に伴って、第１の露出制御よりも変更度合が緩やかとなるように露出を制御する第２の露出制御を実行する。
【００５７】
また、ステップＳ３０９においてカメラ制御部１０１が所定のタイミングよりも前にＬＶ表示指示がされたと判定した場合、露出制御部１１６は、ＬＶ表示の開始に伴って第２の露出制御を実行する。換言すると、所定のタイミングよりも前にユーザーによるＬＶ表示指示がされた場合は、ＬＶ表示が開始される前に露出制御（第１の露出制御）が実行されることはない。なお、この場合は、第２の露出制御に先立って測光部１１５による被写体の測光が実行される。
【００５８】
ここで、図４を参照して前述した第１の露出制御および第２の露出制御について説明する。図４は、本発明の実施形態に係るカメラ１の露出制御方法を例示的に説明する図であって、図４（ａ）は、第１の露出制御を実行した場合の単位時間当たりの露出の変更度合を例示的に説明した図である。また、図４（ｂ）は、第２の露出制御を実行した場合の単位時間当たりの露出の変更度合を例示的に説明した図である。図４（ａ）に図示するように、第１の露出制御を実行する場合、露出制御部１１６は、画像データの取得・読み出し係る１フレーム分の期間にＡＰＥＸ単位の３段分の露出を変更できる。また、図４（ｂ）に図示するように、第２の露出制御を実行する場合、露出制御部１１６は、画像データの取得・読み出し関する１フレーム分の期間においてＡＰＥＸ単位の０．５段分の露出を変更できる。
【００５９】
表示部１０９でのＬＶ表示を実行する場合は、図４（ｂ）に図示するように露出の変更度合が緩やかな第２の露出制御を実行することで、ＬＶ表示における被写体の明るさが急激に変化することを防止し、ユーザーに与える違和感を抑制できる。逆に、表示部１０９でのＬＶ表示を実行する場合は、図４（ａ）に図示するように露出の変更度合が急峻な第１の露出制御を実行することで、露出を変更するのに必要な時間を短縮することができる。
【００６０】
以上説明したように、本実施形態のカメラ１は、インターバル撮影モードにおいてＬＶ表示がされていない場合、連続する撮像間においてＬＶ表示指示がされたタイミングに基づいて、露出の変更度合とＬＶ表示を開始するタイミングとを制御することができる。この構成により、インターバル撮影モードにおいてＬＶ表示指示がされた場合であっても、ユーザーの意図に応じたＬＶ表示の実行と、インターバル撮影に適した露出を設定して間欠的な撮像を実行することができる。したがって、本実施形態を実施したカメラ１は、インターバル撮影中にライブビュー表示の実行が指示された場合に、インターバル撮影に適さない明るさの画像が取得されることを抑制することができる。
【００６１】
図３に戻る。ステップＳ３１３の処理は、前述したステップＳ３０４の処理と同一なので説明を省略する。カメラ制御部１０１により内蔵タイマー１０１ａによる時間の計測が自動測光タイミングに到達していない（ステップＳ３１３でＮＯ）と判定された場合は、ステップＳ３１４に進む。そして、ステップＳ３１４でカメラ制御部１０１は、ユーザーによってＬＶ表示をオフする指示がされたか否かを判定する。ＬＶ表示をオフする指示がされていない場合は、ステップＳ３１２の処理に戻り、表示部１０９でのＬＶ表示と被写体の明るさの変化に応じた第２の露出制御が繰り返される。また、ＬＶ表示をオフする指示がされている場合は、ステップＳ３０３の処理に戻る。
【００６２】
また、カメラ制御部１０１により内蔵タイマー１０１ａによる時間の計測が自動測光タイミングに到達した（ステップＳ３１３でＹＥＳ）と判定された場合は、ステップＳ３１５に進む。そして、ステップＳ３１５で表示制御部１１３は、間欠的な撮像に係る撮像準備動作および撮像動作に備えて、表示部１０９でのＬＶ表示をオフする。以降のステップＳ３１６〜Ｓ３１８の処理は前述したステップＳ３０５〜Ｓ３０７の処理と同一なので説明を省略する。また、ステップＳ３１９〜Ｓ３２１の処理については、インターバル撮影モードにおける連続した撮像間でＬＶ表示指示がされなかった場合の説明で前述した通りである。以上が本実施形態のインターバル撮影処理である。
【００６３】
インターバル撮影処理で取得した複数の（記録用の）画像データは、メモリ制御部１０７によってメモリ１０２から読み出される。そして、カメラ制御部１０１は、画像データに関連付けされた情報に基づいて、記録用の複数の画像データを取得した順（撮像した順）につなぎ合わせて（結合して）タイムラプス動画を生成する。なお、タイムラプス動画の生成は、インターバル撮影処理と並行して実行するような構成であってもよい。すなわち、インターバル撮影モードにおいて間欠的な撮像のうちの各撮像が実行されるごとに、カメラ制御部１０１が、取得した記録用の画像データをつなぎ合わせていく構成であってもよい。
【００６４】
図５は、本発明の実施形態に係るカメラ１の露出制御および表示制御に関するタイミングチャートを例示的に説明した図である。図５（ａ）は、インターバル撮影モードにおける連続した撮像間でＬＶ表示指示がされなかった場合のタイミングチャートを例示的に説明した図である。図５（ｂ）は、インターバル撮影モードにおける連続した撮像間でＬＶ表示指示がされた場合のタイミングチャートを例示的に説明した図である。図５（ｃ）は、インターバル撮影モードにおける間欠的な撮像の撮像間隔が所定の間隔以下である場合のタイミングチャートを例示的に説明した図である。
【００６５】
図５（ａ）に図示するように、インターバル撮影モードにおける撮像間でＬＶ表示指示がされていない場合、カメラ１は、ＬＶ表示の見栄えを考慮せずに撮像の自動測光タイミングで被写体を測光および本撮像前露出制御を実行する。この構成により、本実施形態のカメラ１は、インターバル撮影モードにおける撮像間でＬＶ表示指示がされていない場合に、不要な電力消費を低減することができる。
【００６６】
また、図５（ｂ）に図示するように、インターバル撮影モードの撮像間において、所定のタイミングよりも前にＬＶ表示指示がされた場合、カメラ１は、ＬＶ表示の開始に伴って第２の露出制御を実行する。また、インターバル撮影モードの撮像間において、所定のタイミング以後にＬＶ表示指示がされた場合、カメラ１は、ＬＶ表示の開始前に第１の露出制御を実行する。この構成により、本実施形態のカメラ１は、インターバル撮影モードにおいてＬＶ表示指示がされた場合であっても、ユーザーの意図に応じたＬＶ表示の実行と、インターバル撮影に適した露出を設定して間欠的な撮像を実行することができる。
【００６７】
なお、本実施形態のカメラ１としては更に、インターバル撮影モードにおける撮像間隔が所定の時間間隔（第１の間隔）以下であるか否かに基づいて、表示部１０９でのＬＶ表示の表示有無を制御する構成を採用してもよい。以下、この詳細について説明する。
【００６８】
例えば、インターバル撮影の撮像間隔が短い場合は、撮像間において被写体の明るさが大きく変化する確率が低い。この場合、短い撮像間隔であってもＬＶ表示の実行に伴って第２の露出制御を完了できる確率が高い。
【００６９】
そこで、図５（ｃ）に図示するように、表示制御部１１３は、インターバル撮影における撮像間隔が所定の間隔以下の場合に、撮像間でＬＶ表示の表示状態を変更しないように制御する。
【００７０】
例えば、インターバル撮影モードの撮像間隔が所定の時間間隔以下である場合であってＬＶ表示が実行されていない場合、表示制御部１１３は、連続した撮像間でＬＶ表示指示がされたとしても、次の撮像が完了するまでＬＶ表示を開始しないように制御する。そして、この場合、表示制御部１１３は、インターバル撮影モードにおける次の撮像が完了した後に表示部１０９でのＬＶ表示を開始する。また、露出制御部１１６は、当該ＬＶ表示の開始に伴って第２の露出制御を実行する。なお、撮像間隔が所定の時間間隔よりも大きい場合は、前述したように、ＬＶ表示指示がされたタイミングに基づいて、露出の変更度合およびＬＶ表示を開始するタイミングを制御する構成であればよい。
【００７１】
以上の構成を採用したカメラ１は、インターバル撮影モードにおいて、表示部１０９の表示状態が頻繁に切り替わることを抑制することができるため、ユーザーに与える違和感を抑制することができる。また、以上の構成を採用したカメラ１は、表示部１０９でのＬＶ表示を実行したまま、被写体の明るさの変化に応じて変更度合が緩やかとなるように露出を制御できるため、ユーザーに与える違和感を抑制することができる。
【００７２】
なお、以上説明した構成では、インターバル撮影モードの撮像間隔が所定の時間間隔以下である場合、撮像間でユーザーによるＬＶ表示指示がされたことに応じて、次の撮像後に第２の露出制御を実行する構成について説明したが、これに限定されるものではない。例えば、次の撮像完了後に第１の露出制御を実行し、当該第１の露出制御後にＬＶ表示を開始する構成であってもよい。すなわち、インターバル撮影モードにおける撮像間隔が所定の時間間隔以下である場合は、少なくとも、撮像間におけるＬＶ表示の状態の変更の指示に基づいて次の撮像まで表示部１０９でのＬＶ表示の状態を変更しないような構成であればよい。
【００７３】
以上、本発明の好ましい実施形態について説明したが、本発明はこれらに限定されず、その要旨の範囲内で種々の変形および変更が可能である。例えば、前述した実施形態でカメラ１は、インターバル撮影モードにおいてタイムラプス動画を生成する構成であったが、タイムラプス動画の生成を生成しないような構成であってもよい。また、前述した実施形態では、カメラ制御部１０１がタイムラプス動画を生成する構成であったが、これに限定されるものではない。例えば、カメラ制御部１０１からカメラ１外に設けられた外部機器に取得した画像データを送信し、当該外部機器においてタイムラプス動画を生成するような構成であってもよい。
【００７４】
また、前述した実施形態では、インターバル撮影処理における最初の撮像以外はＡＦ制御処理を実行しないような構成であるが、これに限定されるものではない。例えば、インターバル撮影処理のおける間欠的な撮像の各撮像ごとにＡＦ制御処理を実行する構成であってもよい。この構成であれば、間欠的な撮像における各撮像ごとに撮像レンズ群２０２のレンズ位置を制御して、被写体に対して正確に合焦させることができる。
【００７５】
また、前述した実施形態では、カメラ制御部１０１や表示制御部１１３、測光部１１５、露出制御部１１６などが互いに連携して動作することで、カメラ１の動作を制御する構成であったが、これに限定されるものではない。例えば、前述した図３に図示したフローに従ったコンピュータプログラムを予めメモリ１０２に格納しておく。そして、当該コンピュータプログラムを、マイクロコンピュータを含むカメラ制御部１０１などが実行することで、カメラ１の動作を制御するような構成であってもよい。
【００７６】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【００７７】
また、前述した実施形態では、本発明を実施する撮像装置の一例としてデジタルカメラを採用した場合について説明したが、これに限定されるものではない。例えば、デジタルビデオカメラやスマートフォンなどの可搬デバイスなどや、セキュリティカメラなど、デジタルカメラ以外の撮像装置を採用する構成であってもよい。
【００７８】
（その他の実施形態）
また本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【００７９】
１  デジタルカメラ
１００  カメラ本体
１０１  カメラ制御部
１０３  撮像素子
１０９  表示部
１１５  測光部
１１６  露出制御部
【図１】
0006576227.tif 000002
【図２】
0006576227.tif 000003
【図３】
0006576227.tif 000004
【図４】
0006576227.tif 000005
【図５】
0006576227.tif 000006